(57)【要約】【課題】より確実に、ベゼルをグランドターミナルに接触させることができるヘッドアップディスプレイ装置を提供する。【解決手段】ＨＵＤ装置は、グランドターミナル３１を含む回路基板３０と、表示パネルと、表示パネルを支持するパネル支持体の一例であるライトボックス２７と、表示パネルの外周を囲む枠部を含むベゼル２９と、ベゼル２９の枠部を挟んでライトボックス２７に組み付けられる表示パネルカバー２８と、を備える。ベゼル２９は、枠部に連結され、グランドターミナル３１に向かって延びるグランド接触部２９ｂＬ，２９ｂＲを含む。表示パネルカバー２８は、ベゼル２９の枠部を挟んでライトボックス２７に組み付けられたとき、ベゼル２９のグランド接触部２９ｂＬ，２９ｂＲをグランドターミナル３１に接触するように押す押圧部２８ｄＬ，２８ｄＲを備える。【選択図】図１３
2019045531.tif 000002
【特許請求の範囲】
【請求項１】
グランドターミナルを含む回路基板と、
表示パネルと、
前記表示パネルを支持するパネル支持体と、
前記表示パネルの外周を囲む枠部と、前記枠部に連結され前記グランドターミナルに向かって延びるグランド接触部と、を含むベゼルと、
前記ベゼルの前記枠部を挟んで前記パネル支持体に組み付けられる表示パネルカバーと、を備え、
前記表示パネルカバーは、前記ベゼルの前記枠部を挟んで前記パネル支持体に組み付けられたとき、前記ベゼルの前記グランド接触部を前記グランドターミナルに接触するように押す押圧部を備える、
ことを特徴とするヘッドアップディスプレイ装置。
【請求項２】
前記グランド接触部は、
前記枠部に対して傾斜する方向に延び、前記押圧部により押されることで弾性変形する弾性変形部と、
前記押圧部から離れる方向に延び、前記弾性変形部が前記押圧部により押されたときに前記グランドターミナルに接触する先端部と、を備える、
ことを特徴とする請求項１に記載のヘッドアップディスプレイ装置。
【請求項３】
前記パネル支持体に形成されるかしめ溝と、
前記ベゼルに設けられ、前記かしめ溝内に接触するように折り曲げられるかしめ部と、を備える、
ことを特徴とする請求項１又は２に記載のヘッドアップディスプレイ装置。
【発明の詳細な説明】
【技術分野】
【０００１】
本発明は、ヘッドアップディスプレイ装置に関する。
【背景技術】
【０００２】
従来から、ウインドシールド又はコンバイナ等の被投射部材に虚像を表示するヘッドアップディスプレイ装置が知られている。このヘッドアップディスプレイ装置は、例えば、特許文献１に開示されるように、画像を表す表示光を出射する表示ユニットを備える。この表示ユニットは、ＴＦＴ（Thin Film Transistor）液晶パネルにより構成される表示部材と、表示部材の外周縁部に沿う枠体（ベゼル）と、を備える。
【先行技術文献】
【特許文献】
【０００３】
【特許文献１】特開２０１７−０８３６９９号公報
【発明の概要】
【発明が解決しようとする課題】
【０００４】
本願発明者らは、特許文献１に記載のベゼルを回路基板の上面に形成されるグランドターミナルに接触させることにより、回路基板のグランドターミナルを接地させることを検討している。この場合、ベゼルの位置精度及び形状精度等により、ベゼルがグランドターミナルに適切に接触しないことが想定される。
【０００５】
本発明は、上記実状を鑑みてなされたものであり、より確実に、ベゼルをグランドターミナルに接触させることができるヘッドアップディスプレイ装置を提供することを目的とする。
【課題を解決するための手段】
【０００６】
上記目的を達成するため、本発明のヘッドアップディスプレイ装置は、グランドターミナルを含む回路基板と、表示パネルと、前記表示パネルを支持するパネル支持体と、前記表示パネルの外周を囲む枠部と、前記枠部に連結され前記グランドターミナルに向かって延びるグランド接触部と、を含むベゼルと、前記ベゼルの前記枠部を挟んで前記パネル支持体に組み付けられる表示パネルカバーと、を備え、前記表示パネルカバーは、前記ベゼルの前記枠部を挟んで前記パネル支持体に組み付けられたとき、前記ベゼルの前記グランド接触部を前記グランドターミナルに接触するように押す押圧部を備える。
【発明の効果】
【０００７】
本発明によれば、ヘッドアップディスプレイ装置において、より確実に、ベゼルをグランドターミナルに接触させることができる。
【図面の簡単な説明】
【０００８】
【図１】本発明の一実施形態に係るヘッドアップディスプレイ装置が搭載された車両の模式図である。
【図２】本発明の一実施形態に係るヘッドアップディスプレイ装置の斜視図である。
【図３】本発明の一実施形態に係る上ケース及びリッド等が取り外されたヘッドアップディスプレイ装置の斜視図である。
【図４】本発明の一実施形態に係るヘッドアップディスプレイ装置の断面図である。
【図５】本発明の一実施形態に係るヘッドアップディスプレイ装置における表示パネル、ライトボックス及びベゼルの斜視図である。
【図６】本発明の一実施形態に係るヘッドアップディスプレイ装置における表示器の斜視図である。
【図７】本発明の一実施形態に係るヘッドアップディスプレイ装置における表示器の斜視図である。
【図８】本発明の一実施形態に係るヘッドアップディスプレイ装置におけるライトボックス及びベゼルの斜視図である。
【図９】本発明の一実施形態に係るヘッドアップディスプレイ装置におけるライトボックス及びベゼルの斜視図である。
【図１０】本発明の一実施形態に係るかしめ部及びかしめ溝を示す模式図である。
【図１１】本発明の一実施形態に係るかしめ部を示す側面図である。
【図１２】本発明の一実施形態に係るかしめ部及びかしめ溝を示す斜視図である。
【図１３】本発明の一実施形態に係る表示パネルカバーの押圧部及びベゼルのグランド接触部を示す断面図である。
【図１４】本発明の一実施形態に係る表示器のヒートシンクを示す正面図である。
【図１５】本発明の一実施形態に係る表示器のヒートシンク及びライトボックスを示す斜視図である。
【図１６】本発明の一実施形態に係る表示器のヒートシンク及びライトボックスを示す斜視図である。
【発明を実施するための形態】
【０００９】
本発明のヘッドアップディスプレイ装置（以下、ＨＵＤ装置と呼ぶ）の一実施形態について図面を参照して説明する。なお、以下では、運転者から見た方向に基づき、前後、左右、上下方向が規定されている。
【００１０】
図１に示すように、ＨＵＤ装置１は、車両７のダッシュボード５に内蔵される。ＨＵＤ装置１は、表示光Ｌを生成し、生成した表示光ＬをＨＵＤ装置１のコンバイナ４０に向けて出射する。この表示光Ｌは、コンバイナ４０で反射して、車両７の運転者２に到達する。これにより、コンバイナ４０には、表示光Ｌに対応する虚像Ｖが運転者２により視認可能に表示される。
【００１１】
図２〜図４に示すように、ＨＵＤ装置１は、下ケース１１及び上ケース１２を含む筐体１０と、表示器２０と、回路基板３０と、コンバイナ４０と、反射鏡５０と、リッド６０と、中ケース１３と、を備える。
【００１２】
筐体１０は、遮光性の樹脂により箱状に形成され、ＨＵＤ装置１の各部が収容される。
下ケース１１は、図４に示すように、上方向に開口した箱状をなし、表示器２０、回路基板３０及び反射鏡５０が収容される。
上ケース１２は、下ケース１１の開口部を塞ぐように下ケース１１に嵌め込まれる。上ケース１２には、コンバイナ４０を外部に突出させるための開口部１２ａが形成されている。
【００１３】
反射鏡５０は、表示器２０からの表示光Ｌを開口部１２ａに向けて反射する。反射鏡５０は、長方形板状をなし、下ケース１１内における後側に配置される。
【００１４】
コンバイナ４０は、図４に示すように、反射鏡５０からの表示光Ｌを運転者２に向けて反射する。コンバイナ４０は、例えば、ハーフミラー、ホログラム素子等により構成された曲面板状に形成される。コンバイナ４０は、筐体１０内の図示しないモータ及び歯車機構により、左右方向（幅方向）に沿う回転軸Ｏ１を中心に回転する。回転軸Ｏ１は、筐体１０内におけるコンバイナ４０の下端部に位置する。コンバイナ４０が回転軸Ｏ１を中心に回転することで、コンバイナ４０は筐体１０内に収容される収容位置と開口部１２ａを介して外部に露出した表示位置との間で切り替わる。
【００１５】
リッド６０は、遮光性の樹脂により、開口部１２ａよりも大きい面積を有する長方形板状に形成される。リッド６０は、筐体１０内において、前後方向に沿ってスライド可能に構成される。リッド６０は、コンバイナ４０が収容位置にあるときには開口部１２ａを塞ぐ位置に存在し、コンバイナ４０が表示位置にあるときには開口部１２ａを開放する位置に存在する。リッド６０は、筐体１０内の図示しないモータ及び歯車機構によりコンバイナ４０と連動してスライド移動する。
【００１６】
回路基板３０は、ＨＵＤ装置１を制御する制御回路等を実装するためのプリント基板である。回路基板３０は、前後方向及び左右方向に沿う向きに設けられる。また、回路基板３０は、下ケース１１内における反射鏡５０よりも前方であって、表示器２０の下方に設けられる。さらに、回路基板３０は、図１３に示すように、回路基板３０の上面にグランドターミナル３１を備える。グランドターミナル３１は、左右方向（幅方向）に沿って２つ並べられ、回路基板３０の図示しないグランドパターンに電気的に接続されている。グランドターミナル３１は、金属により形成され、幅方向から見てＺ字状をなしている。
【００１７】
中ケース１３は、図４に示すように、遮光性の樹脂により、回路基板３０の上面及び側面を覆う形状をなす。中ケース１３には、上下方向に貫通する開口孔１３ａが形成されている。開口孔１３ａには、図１３に示すように、表示器２０の一部である後述するベゼル２９のグランド接触部２９ｂＬ，２９ｂＲ及び表示パネルカバー２８の押圧部２８ｄＬ，２８ｄＲが位置する。
【００１８】
表示器２０は、図４に示すように、表示光Ｌを反射鏡５０に向けて出射する。詳しくは、表示器２０は、表示パネル２２と、光源２４ａと、光源基板２４ｂと、レンズ群２５と、パネル支持体の一例であるライトボックス２７と、表示パネルカバー２８と、ベゼル２９と、を備える。
【００１９】
光源２４ａは、表示パネル２２を照らすバックライトであり、例えば、光源基板２４ｂの後面に実装される。光源２４ａは、複数のＬＥＤ（Ｌｉｇｈｔ  Ｅｍｉｔｔｉｎｇ  Ｄｉｏｄｅ）からなる。光源基板２４ｂは、その後面に実装される光源２４ａからの光が表示パネル２２を経て反射鏡５０に向かうように設けられる。
表示パネル２２は、回路基板３０に実装される制御回路の制御のもと画像を表す液晶パネルである。表示パネル２２は、画像を表示しているときに光源２４ａからの光を受けて画像を表す表示光Ｌを出射する。
【００２０】
レンズ群２５は、光源２４ａからの光を平行化するコンデンサレンズ２５ａと、光源２４ａからの光を拡散するレンチキュラレンズ２５ｂと、を備える。
【００２１】
ライトボックス２７は光源２４ａからの光を外部に漏らさずに表示パネル２２に到達させる。ライトボックス２７は遮光性の樹脂により箱状に形成され、表示パネル２２を支持する。ライトボックス２７の内部には光源２４ａ及びレンズ群２５が収容される。
【００２２】
詳しくは、ライトボックス２７は、図５に示すように、基礎側筒部２７ａと、先端側筒部２７ｂと、パネル保持部２７ｂ１と、第１の被係止部２７ｃ１，２７ｃ２と、第２の被係止部２７ｄ１，２７ｄ２と、第３の被係止部２７ｉと、嵌合部２７ｇ１，２７ｇ２と、被付勢部２７ｇ３と、を備える。
【００２３】
基礎側筒部２７ａは、その内部に光源２４ａ及びレンズ群２５を収容する長方形筒状に形成されている。
【００２４】
先端側筒部２７ｂは、基礎側筒部２７ａよりも後側に形成される。先端側筒部２７ｂは、基礎側筒部２７ａよりも小さいサイズの長方形筒状に形成されている。先端側筒部２７ｂは、段差を介して基礎側筒部２７ａに連結されている。
パネル保持部２７ｂ１は、先端側筒部２７ｂの後端側に形成され、表示パネル２２をその外周面から保持する。
【００２５】
第１の被係止部２７ｃ１，２７ｃ２は、基礎側筒部２７ａの外周面に形成されるとともに、図６に示す表示パネルカバー２８の後述する第１の係止部２８ｃＬ，２８ｃＲに係止される。第１の被係止部２７ｃ１，２７ｃ２は、基礎側筒部２７ａの上面に左右方向に沿って並べられている。各第１の被係止部２７ｃ１，２７ｃ２は三角柱状をなす。
【００２６】
第２の被係止部２７ｄ１，２７ｄ２は、先端側筒部２７ｂの外周面に形成されるとともに、図５に示すベゼル２９の後述する係止部２９ｅ１，２９ｅ２に係止される。第２の被係止部２７ｄ１は、先端側筒部２７ｂの上面に設けられる。第２の被係止部２７ｄ２は先端側筒部２７ｂの上下方向に延びる両側面に設けられる。各第２の被係止部２７ｄ１，２７ｄ２は三角柱状をなす。
【００２７】
嵌合部２７ｇ１，２７ｇ２及び被付勢部２７ｇ３は、先端側筒部２７ｂの周囲に立設する長方形板状をなす。
嵌合部２７ｇ１は、先端側筒部２７ｂの上壁の中央に位置し、図６に示す表示パネルカバー２８の後述する嵌合穴２８ｇ１に嵌合する。
嵌合部２７ｇ２は、第２の被係止部２７ｄ２に空間を挟んで対向して位置し、表示パネルカバー２８の後述する嵌合穴２８ｇ２に嵌合する。
被付勢部２７ｇ３は、先端側筒部２７ｂの両側壁の中央に位置し、図５に示すベゼル２９の付勢部２９ｆに付勢される。
第３の被係止部２７ｉは、基礎側筒部２７ａの外部であって、基礎側筒部２７ａの両側壁の下方に位置する。第３の被係止部２７ｉは、図６に示す表示パネルカバー２８の後述する第２の係止部２８ｅが係止するように、下方に向けて開口する凹状をなす。
【００２８】
さらに、ライトボックス２７は、図８及び図９に示すように、かしめ溝２７ｅ１，２７ｅ２，２７ｅ３を備える。かしめ溝２７ｅ１，２７ｅ２，２７ｅ３内には、ベゼル２９の後述するかしめ部２９ｃ１，２９ｃ２，２９ｃ３がかしめられる。各かしめ溝２７ｅ１，２７ｅ２，２７ｅ３は、図１０に示すように、かしめられたかしめ部２９ｃ１，２９ｃ２，２９ｃ３が接触する傾斜面２７ｆを備える。傾斜面２７ｆは、先端側筒部２７ｂの中心に向かうにつれて前方に進むように傾斜している。
かしめ溝２７ｅ１，２７ｅ２，２７ｅ３は、先端側筒部２７ｂの外周面に形成される。かしめ溝２７ｅ１，２７ｅ２は、先端側筒部２７ｂにおける下側の両角部に位置する。かしめ溝２７ｅ３は、先端側筒部２７ｂの上壁の外面に位置する。
【００２９】
ベゼル２９は、図５に示すように、表示パネル２２の周囲を囲む部材である。ベゼル２９は、金属板がプレス加工されることにより形成される。
【００３０】
詳しくは、ベゼル２９は、枠部２９ａと、グランド接触部２９ｂＬ，２９ｂＲと、かしめ部２９ｃ１，２９ｃ２，２９ｃ３と、係止部２９ｅ１，２９ｅ２と、付勢部２９ｆと、を備える。
枠部２９ａは、表示パネル２２の外周に沿う長方形枠状をなす。
【００３１】
グランド接触部２９ｂＬ，２９ｂＲは、枠部２９ａの下辺の両端に形成され、下方に延びる。各グランド接触部２９ｂＬ，２９ｂＲは、図１３に示すように、表示パネルカバー２８の後述する押圧部２８ｄＬ，２８ｄＲに押圧される弾性変形部２９ｂ１と、回路基板３０のグランドターミナル３１に接触する先端部２９ｂ２と、を備える。
弾性変形部２９ｂ１は、下方に向かうにつれて表示パネルカバー２８に近づくように傾斜し、弾性変形部２９ｂ１の先端は表示パネルカバー２８に接触する。弾性変形部２９ｂ１は、表示パネルカバー２８の押圧部２８ｄＬ，２８ｄＲに押されることで、図１３の矢印Ｂに示すように、弾性変形部２９ｂ１の上端側を中心として反時計回りに回転するように弾性変形する。
先端部２９ｂ２は、弾性変形部２９ｂ１の下端から前方向に延び、弾性変形部２９ｂ１の弾性変形によりグランドターミナル３１に近づき接触する
【００３２】
かしめ部２９ｃ１，２９ｃ２，２９ｃ３は、図１２に示すように、それぞれ対応するかしめ溝２７ｅ１，２７ｅ２，２７ｅ３にかしめられる。
詳しくは、かしめ部２９ｃ１，２９ｃ２，２９ｃ３は、図１１に示すように、基端部２９ｃａと、中央部２９ｃｂと、先端部２９ｃｃと、を備える。
基端部２９ｃａは、枠部２９ａに対して直交する方向であって、基礎側筒部２７ａに近づく方向に折り曲げられる。中央部２９ｃｂは、基端部２９ｃａとともに平板のＬ字状をなすように基端部２９ｃａに対して直交する方向に延びる。
中央部２９ｃｂの幅Ｗは、基端部２９ｃａから離れるにつれて大きくなる。すなわち、中央部２９ｃｂにおける基端部２９ｃａ側の幅Ｗ２は、中央部２９ｃｂにおける先端部２９ｃｃ側の幅Ｗ１よりも小さい。このため、かしめ部２９ｃ１，２９ｃ２，２９ｃ３がかしめられる際、中央部２９ｃｂにおける幅Ｗ２の部位で折り曲げられる。
先端部２９ｃｃは、中央部２９ｃｂから基端部２９ｃａと同一の方向に延びる。先端部２９ｃｃの先端は、枠部２９ａから離れる方向に折り曲げられる。図１０に示すように、先端部２９ｃｃにおける折り曲げられた部位の外面には、傾斜面２７ｆが接触する曲面２９ｃｄが形成される。
【００３３】
係止部２９ｅ１，２９ｅ２は、図５及び図６に示すように、それぞれ対応するライトボックス２７の第２の被係止部２７ｄ１，２７ｄ２が係止する部位である。
係止部２９ｅ１は、枠部２９ａの上辺に対して直交する方向であって、基礎側筒部２７ａに近づく方向に折り曲げられる。係止部２９ｅ１には、第２の被係止部２７ｄ１が嵌まる孔が形成されている。
係止部２９ｅ２は、枠部２９ａの両側辺に対して直交する方向であって、基礎側筒部２７ａに近づく方向に折り曲げられる。係止部２９ｅ２には、第２の被係止部２７ｄ２が嵌まる孔が形成されている。
【００３４】
付勢部２９ｆは、被付勢部２７ｇ３に付勢する部位である。付勢部２９ｆは、枠部２９ａの両側辺に対して直交する方向であって、基礎側筒部２７ａに近づく方向に延びる。
【００３５】
表示パネルカバー２８は、図６及び図７に示すように、ベゼル２９及び表示パネル２２を挟んで、ライトボックス２７に嵌め込まれる。詳しくは、表示パネルカバー２８は、本体部２８ａと、押圧部２８ｄＬ，２８ｄＲと、第１の係止部２８ｃＬ，２８ｃＲと、第２の係止部２８ｅと、を備える。
【００３６】
本体部２８ａは、ライトボックス２７側に開口する箱状をなす。本体部２８ａには、表示パネル２２を露出させる開口部２８ａ１が形成される。
【００３７】
第１の係止部２８ｃＬ，２８ｃＲは、それぞれ対応するライトボックス２７の第１の被係止部２７ｃ１，２７ｃ２に係止する部位である。第１の係止部２８ｃＬ，２８ｃＲは、本体部２８ａの上壁から前方向に延びるとともに、左右方向に沿って並べられている。各第１の係止部２８ｃＬ，２８ｃＲは、第１の被係止部２７ｃ１，２７ｃ２に引っかかるＵ字状をなす。
【００３８】
本体部２８ａの両側壁には、ライトボックス２７の嵌合部２７ｇ２が嵌合する嵌合穴２８ｇ２が形成されている。本体部２８ａの上壁には、ライトボックス２７の嵌合部２７ｇ１が嵌合する嵌合穴２８ｇ１が形成されている。
【００３９】
第２の係止部２８ｅは、本体部２８ａの左右方向の両側方に形成され、ライトボックス２７の被係止部２７ｉに係止するフック状をなす。
【００４０】
押圧部２８ｄＬ，２８ｄＲは、図６に示すように、グランド接触部２９ｂＬ，２９ｂＲを押圧する部材である。押圧部２８ｄＬ，２８ｄＲは、本体部２８ａの下壁から下方に延びるとともに、幅方向に沿って並べられている。各押圧部２８ｄＬ，２８ｄＲは、ライトボックス２７及び回路基板３０に向けて開口する箱状をなし、グランド接触部２９ｂＬ，２９ｂＲを収容する。詳しくは、各押圧部２８ｄＬ，２８ｄＲは、グランド接触部２９ｂＬ，２９ｂＲの弾性変形部２９ｂ１に接触する底板２８ｄ１と、グランド接触部２９ｂＬ，２９ｂＲをその幅方向から挟み込むように底板２８ｄ１の両側縁から立設する一対の側板２８ｄ２と、を備える。図１３に示すように、各押圧部２８ｄＬ，２８ｄＲの底板２８ｄ１により、弾性変形部２９ｂ１の下端部が図中の反時計回りに押される。これにより、ベゼル２９のグランド接触部２９ｂＬ，２９ｂＲの先端部２９ｂ２が確実に回路基板３０のグランドターミナル３１に接触する。従って、回路基板３０のグランドターミナル３１を接地させることができる。
【００４１】
さらに、ライトボックス２７は、図１６に示すように、ライトボックス２７の前面に、第１の位置決めピン２７ｈ１、第２の位置決めピン２７ｈ２及び第３の位置決めピン２７ｈ３を備える。各位置決めピン２７ｈ１，２７ｈ２，２７ｈ３は、図１５に示す後述するヒートシンク２６の位置決め穴２６ａ，２６ｂ，２６ｃに嵌合する。各位置決めピン２７ｈ１，２７ｈ２，２７ｈ３は、先端が先細りした円柱状に形成される。
第１の位置決めピン２７ｈ１は、ライトボックス２７の前面の上縁であって、ライトボックス２７の左右方向における中央に位置する。
第２の位置決めピン２７ｈ２及び第３の位置決めピン２７ｈ３は、第１の位置決めピン２７ｈ１の下方において左右方向に沿って配列される。
【００４２】
さらに、表示器２０は、図１４及び図１５に示すように、ヒートシンク２６を備える。ヒートシンク２６は、表示器２０から放出される熱を吸収して外部に放出するための放熱部品であり、アルミニウムなどから形成されている。ヒートシンク２６は、ライトボックス２７の前側に装着されている。ヒートシンク２６には、ヒートシンク２６の後面に、第１の位置決め穴２６ａ、第２の位置決め穴２６ｂ及び第３の位置決め穴２６ｃが形成される。
第１の位置決め穴２６ａは、ヒートシンク２６の上縁であって、ヒートシンク２６の左右方向における中央に位置する。第１の位置決め穴２６ａは、ライトボックス２７の第１の位置決めピン２７ｈ１が嵌合する円形をなす。
第２の位置決め穴２６ｂ及び第３の位置決め穴２６ｃは、第１の位置決め穴２６ａの下方において左右方向に沿って配列される。
第２の位置決め穴２６ｂは、第２の位置決め穴２６ｂと第１の位置決め穴２６ａの間を結ぶ仮想線に沿って長い楕円形をなす。第３の位置決め穴２６ｃは、第３の位置決め穴２６ｃと第１の位置決め穴２６ａの間を結ぶ仮想線に沿って長い楕円形をなす。
【００４３】
次に、ライトボックス２７、表示パネル２２、ベゼル２９及び表示パネルカバー２８の組み立て方法について説明する。この組み立ては、人又は機械により行われる。
まず、図５に示すように、ライトボックス２７のパネル保持部２７ｂ１に表示パネル２２が設置される。そして、図６に示すように、ベゼル２９をライトボックス２７に取り付ける。詳しくは、ベゼル２９の係止部２９ｅ１，２９ｅ２が対応するライトボックス２７の第２の被係止部２７ｄ１，２７ｄ２に係止され、ベゼル２９の付勢部２９ｆは、ライトボックス２７の被付勢部２７ｇ３に付勢される。これにより、ベゼル２９はライトボックス２７に仮止めされた状態となる。この仮止め状態から、図１０に示すように、かしめ部２９ｃ１，２９ｃ２，２９ｃ３がかしめ溝２７ｅ１，２７ｅ２，２７ｅ３内に折り曲げられることにより、かしめ部２９ｃ１，２９ｃ２，２９ｃ３がかしめ溝２７ｅ１，２７ｅ２，２７ｅ３にかしめられる。すなわち、各かしめ部２９ｃ１，２９ｃ２，２９ｃ３の先端部２９ｃｃがかしめ溝２７ｅ１，２７ｅ２，２７ｅ３の底面に向けて押圧される。これにより、図１２に示すように、各かしめ部２９ｃ１，２９ｃ２，２９ｃ３は中央部２９ｃｂのうち小さい幅Ｗ２の部位Ｐ１で折り曲げられる。よって、図１２の矢印Ａで示すように、各かしめ部２９ｃ１，２９ｃ２，２９ｃ３の先端部２９ｃｃは、部位Ｐ１を中心にかしめ溝２７ｅ１，２７ｅ２，２７ｅ３の底面に向けて回転する。これにより、図１０の破線で示すように、先端部２９ｃｃの曲面２９ｃｄは、かしめ溝２７ｅ１，２７ｅ２，２７ｅ３の傾斜面２７ｆに接触する。これにより、ベゼル２９はライトボックス２７に固定された状態となる。
【００４４】
次に、図６及び図７に示すように、表示パネルカバー２８は、ベゼル２９及び表示パネル２２を挟んで、ライトボックス２７に嵌め込まれる。詳しくは、表示パネルカバー２８の第１の係止部２８ｃＬ，２８ｃＲは、ライトボックス２７の第１の被係止部２７ｃ１，２７ｃ２に係止され、表示パネルカバー２８の第２の係止部２８ｅは、ライトボックス２７の第３の被係止部２７ｉに係止される。このとき、表示パネルカバー２８の嵌合穴２８ｇ１には、ライトボックス２７の嵌合部２７ｇ１が嵌合し、表示パネルカバー２８の嵌合穴２８ｇ２には、ライトボックス２７の嵌合部２７ｇ２が嵌合する。そして、このとき、図１３に示すように、押圧部２８ｄＬ，２８ｄＲによりベゼル２９のグランド接触部２９ｂＬ，２９ｂＲがグランドターミナル３１に接触するように押される。
【００４５】
次に、ヒートシンク２６をライトボックス２７に位置決めする際の位置決め方法について説明する。この位置決めは、人又は機械により行われる。
まず、図１５及び図１６に示すように、ライトボックス２７の第１の位置決めピン２７ｈ１をヒートシンク２６の第１の位置決め穴２６ａに挿入する。ここで、この挿入を容易とするため、第１の位置決めピン２７ｈ１及び第１の位置決め穴２６ａは、外部から視認され易いように、ライトボックス２７及びヒートシンク２６の外側に位置している。この挿入状態で、第１の位置決めピン２７ｈ１及び第１の位置決め穴２６ａを中心にヒートシンク２６を回転可能となる。このライトボックス２７に対するヒートシンク２６の回転により、第２の位置決め穴２６ｂ及び第３の位置決め穴２６ｃを第２の位置決めピン２７ｈ２及び第３の位置決めピン２７ｈ３に対応する位置とする。そして、第２の位置決め穴２６ｂ及び第３の位置決め穴２６ｃを第２の位置決めピン２７ｈ２及び第３の位置決めピン２７ｈ３に挿入する。ここで、第２の位置決め穴２６ｂ及び第３の位置決め穴２６ｃは楕円形で形成されるため、ヒートシンク２６又はライトボックス２７に形状誤差及び組み付け誤差等が生じた場合であっても、第２の位置決め穴２６ｂ及び第３の位置決め穴２６ｃを第２の位置決めピン２７ｈ２及び第３の位置決めピン２７ｈ３に挿入することができる。
以上により、ヒートシンク２６をライトボックス２７に位置決めすることができる。
【００４６】
（効果）
以上、説明した一実施形態によれば、以下の効果を奏する。
【００４７】
（１）ＨＵＤ装置１は、グランドターミナル３１を含む回路基板３０と、表示パネル２２と、表示パネル２２を支持するパネル支持体の一例であるライトボックス２７と、表示パネル２２の外周を囲む枠部２９ａを含むベゼル２９と、ベゼル２９の枠部２９ａを挟んでライトボックス２７に組み付けられる表示パネルカバー２８と、を備える。ベゼル２９は、枠部２９ａに連結され、グランドターミナル３１に向かって延びるグランド接触部２９ｂＬ，２９ｂＲを含む。表示パネルカバー２８は、ベゼル２９の枠部２９ａを挟んでライトボックス２７に組み付けられたとき、ベゼル２９のグランド接触部２９ｂＬ，２９ｂＲをグランドターミナル３１に接触するように押す押圧部２８ｄＬ，２８ｄＲを備える。
この構成によれば、押圧部２８ｄＬ，２８ｄＲによりベゼル２９のグランド接触部２９ｂＬ，２９ｂＲがグランドターミナル３１に接触するように押される。このため、より確実に、ベゼル２９をグランドターミナル３１に接触させることができ、グランドターミナル３１を介して回路基板３０を接地させることができる。
例えば、ベゼル２９は金属板がプレス加工されることにより形成される。この場合、特に、ベゼル２９におけるグランド接触部２９ｂＬ，２９ｂＲの形状精度及び位置精度が低くなることにより、ベゼル２９をライトボックス２７に取り付けた時点では、図１３の一点鎖線で示すように、グランド接触部２９ｂＬ，２９ｂＲがグランドターミナル３１に接触しない位置に存在するおそれがある。しかし、上記構成によれば、さらに表示パネルカバー２８をライトボックス２７に取り付けることで、押圧部２８ｄＬ，２８ｄＲによりベゼル２９のグランド接触部２９ｂＬ，２９ｂＲがグランドターミナル３１に接触する位置まで押される。このため、グランド接触部２９ｂＬ，２９ｂＲの形状精度及び位置精度に関わらず、より確実に、ベゼル２９をグランドターミナル３１に接触させることができる。
また、ベゼル２９のグランド接触部２９ｂＬ，２９ｂＲは押圧部２８ｄＬ，２８ｄＲにより押さえられるため、グランド接触部２９ｂＬ，２９ｂＲの振動が抑えられ、この振動に伴う異音の発生が抑えられる。
【００４８】
（２）グランド接触部２９ｂＬ，２９ｂＲは、枠部２９ａに対して傾斜する方向に延び、押圧部２８ｄＬ，２８ｄＲにより押されることで弾性変形する弾性変形部２９ｂ１と、押圧部２８ｄＬ，２８ｄＲから離れる方向に延び、弾性変形部２９ｂ１が押圧部２８ｄＬ，２８ｄＲにより押されたときにグランドターミナル３１に接触する先端部２９ｂ２と、を備える。
この構成によれば、押圧部２８ｄＬ，２８ｄＲにより押されることにより、グランド接触部２９ｂＬ，２９ｂＲの弾性変形部２９ｂ１が弾性変形する。これにより、グランド接触部２９ｂＬ，２９ｂＲの先端部２９ｂ２が移動し、グランドターミナル３１に接触する。このため、より確実に、ベゼル２９をグランドターミナル３１に接触させることができる。
【００４９】
（３）ＨＵＤ装置１は、ライトボックス２７に形成されるかしめ溝２７ｅ１，２７ｅ２，２７ｅ３と、ベゼル２９に設けられ、かしめ溝２７ｅ１，２７ｅ２，２７ｅ３の傾斜面２７ｆに接触するように折り曲げられるかしめ部２９ｃ１，２９ｃ２，２９ｃ３と、を備える。
この構成によれば、かしめ部２９ｃ１，２９ｃ２，２９ｃ３がかしめ溝２７ｅ１，２７ｅ２，２７ｅ３にかしめられることにより、より確実にベゼル２９がライトボックス２７に固定される。これにより、ライトボックス２７に対するベゼル２９のグランド接触部２９ｂＬ，２９ｂＲの位置精度が高まり、表示パネルカバー２８の押圧部２８ｄＬ，２８ｄＲによりベゼル２９のグランド接触部２９ｂＬ，２９ｂＲがより確実に押される。
【００５０】
（４）かしめ部２９ｃ１，２９ｃ２は、枠部２９ａにおけるグランド接触部２９ｂＬ，２９ｂＲに対応する位置に形成される。
この構成によれば、かしめ部２９ｃ１，２９ｃ２がかしめ溝２７ｅ１，２７ｅ２にかしめられることにより、ライトボックス２７に対するベゼル２９のグランド接触部２９ｂＬ，２９ｂＲの位置精度が高まる。これにより、表示パネルカバー２８の押圧部２８ｄＬ，２８ｄＲによりベゼル２９のグランド接触部２９ｂＬ，２９ｂＲがより確実に押される。
【００５１】
（５）かしめ溝２７ｅ１，２７ｅ２，２７ｅ３は、かしめ部２９ｃ１，２９ｃ２，２９ｃ３の曲面２９ｃｄが接触する傾斜面２７ｆを備える。
この構成によれば、かしめ部２９ｃ１，２９ｃ２，２９ｃ３がかしめられる際、かしめ部２９ｃ１，２９ｃ２，２９ｃ３の曲面２９ｃｄが傾斜面２７ｆに接触するため、削りゴミが出づらい。よって、このゴミによるＨＵＤ装置１の表示品位の低下を抑制できる。
【００５２】
（変形例）
なお、上記実施形態は、これを適宜変更した以下の形態にて実施することができる。
【００５３】
上記実施形態における、かしめ部２９ｃ１，２９ｃ２，２９ｃ３及びかしめ溝２７ｅ１，２７ｅ２，２７ｅ３の数及び位置は適宜変更可能である。さらに、かしめ部２９ｃ１，２９ｃ２，２９ｃ３及びかしめ溝２７ｅ１，２７ｅ２，２７ｅ３は省略されてもよい。
【００５４】
上記実施形態においては、押圧部２８ｄＬ，２８ｄＲ及びグランド接触部２９ｂＬ，２９ｂＲの数及び位置は、回路基板３０のグランドターミナル３１の数及び位置に応じて適宜変更可能である。また、グランドターミナル３１の形状はＺ字状に限らず、公知のターミナル形状であれば、どのような形状であってもよい。
【００５５】
上記実施形態においては、表示パネル２２は液晶パネルであったが、有機ＥＬ（Electro-Luminescence）パネルであってもよい。この場合、有機ＥＬパネルは自発光素子であるため、光源２４ａ、光源基板２４ｂ及びレンズ群２５は省略可能であり、ライトボックス２７は、有機ＥＬパネルを支持する機能のみを持つパネル支持体に代替される。
【００５６】
上記実施形態においては、ＨＵＤ装置１は、車両７に搭載されていたが、これに限らず、ＨＵＤ装置１は船舶、航空機等のその他の乗り物に搭載されていてもよい。さらに、ＨＵＤ装置１は、乗り物に搭載されるものに限らず、屋内又は屋外で使用されてもよい。
【符号の説明】
【００５７】
１  ＨＵＤ装置
７  車両
１０  筐体
１１  下ケース
１２  上ケース
１２ａ  開口部
１３  中ケース
１３ａ  開口孔
２０  表示器
２２  表示パネル
２４ａ  光源
２４ｂ  光源基板
２５  レンズ群
２６  ヒートシンク
２６ａ  第１の位置決め穴
２６ｂ  第２の位置決め穴
２６ｃ  第３の位置決め穴
２７  ライトボックス
２７ａ  基礎側筒部
２７ｂ  先端側筒部
２７ｂ１  パネル保持部
２７ｃ１，２７ｃ２  第１の被係止部
２７ｄ１，２７ｄ２  第２の被係止部
２７ｅ１，２７ｅ２，２７ｅ３  かしめ溝
２７ｆ  傾斜面
２７ｇ１，２７ｇ２  嵌合部
２７ｇ３  被付勢部
２７ｈ１  第１の位置決めピン
２７ｈ２  第２の位置決めピン
２７ｈ３  第３の位置決めピン
２７ｉ  第３の被係止部
２８  表示パネルカバー
２８ａ  本体部
２８ａ１  開口部
２８ｅ  第２の係止部
２８ｇ１，２８ｇ２  嵌合穴
２８ｃＬ，２８ｃＲ  第１の係止部
２８ｄＬ，２８ｄＲ  押圧部
２９  ベゼル
２９ａ  枠部
２９ｂ１  弾性変形部
２９ｃ１，２９ｃ２，２９ｃ３  かしめ部
２９ｂ２，２９ｃｃ  先端部
２９ｆ  付勢部
２９ｅ１，２９ｅ２  係止部
２９ｂＬ，２９ｂＲ  グランド接触部
２９ｃａ  基端部
２９ｃｂ  中央部
２９ｃｄ  曲面
３０  回路基板
３１  グランドターミナル
４０  コンバイナ
６０  リッド
【図１】
2019045531.tif 000003
【図２】
2019045531.tif 000004
【図３】
2019045531.tif 000005
【図４】
2019045531.tif 000006
【図５】
2019045531.tif 000007
【図６】
2019045531.tif 000008
【図７】
2019045531.tif 000009
【図８】
2019045531.tif 000010
【図９】
2019045531.tif 000011
【図１０】
2019045531.tif 000012
【図１１】
2019045531.tif 000013
【図１２】
2019045531.tif 000014
【図１３】
2019045531.tif 000015
【図１４】
2019045531.tif 000016
【図１５】
2019045531.tif 000017
【図１６】
2019045531.tif 000018